(57)【要約】【課題】装着感を損なうことなく効率的に衝撃を吸収する衝撃吸収帽子を提供する【解決手段】  帽子本体と、該帽子本体頭部を上部から保護し前方からの空気抵抗を後方へ流すとともに頭頂部付近に隆起部を有し該隆起部内の空気を後方へ排出する排出孔を有する硬質ヘルメットと、該硬質ヘルメット内側に衝撃緩衝用空間部を構成するように設けられ通気孔を有する緩衝シートと、前記帽子と前記硬質ヘルメットを着脱可能に固定する固定手段とより構成される。【選択図】図１
0003131987.tif 000002
【実用新案登録請求の範囲】
【請求項１】
帽子本体と、該帽子本体頭部を上部から保護し前方からの空気抵抗を後方へ流すとともに頭頂部付近に隆起部を有し該隆起部内の空気を後方へ排出する排出孔を有する硬質ヘルメットと、該硬質ヘルメット内側に衝撃緩衝用空間部を構成するように設けられ通気孔を有する緩衝シートと、前記帽子と前記硬質ヘルメットを着脱可能に固定する固定手段とよりなる衝撃吸収帽子。
【考案の詳細な説明】
【技術分野】
【０００１】  本考案は、装着感を損なうことなく効率的に衝撃を吸収する衝撃吸収帽子に関するものである。
【背景技術】
【０００２】  従来、特許文献１に示すように帽子内部に通気性のある硬質の保護部材を一体に構成するものがあった。
また、特許文献２、特許文献３に示すように帽子の上に分割した硬質のヘルメット部材が取り付けられたものがあった。
【特許文献１】  特開２００２−１３８３１８
【特許文献２】  特開２００６−１２４８９６
【特許文献３】  特開２００６−３１２７９８
【考案の開示】
【考案が解決しようとする課題】
【０００３】  そのために、次のような問題があった。
帽子内部に硬質の保護部材を設けるものにあっては、利用者の個人差における頭部形状によって衝撃吸収率が変動するとともに、装着感を損ないものであった。
帽子の上に分割した硬質のヘルメット部材が取り付けられたものにあっては、衝撃が局所的に負荷がかかり、頭部衝撃の緩衝効率が低いものであった。
本考案は以上の欠点を解決するものである。
【課題を解決するための手段】
【０００４】  帽子本体と、該帽子本体頭部を上部から保護し前方からの空気抵抗を後方へ流すとともに頭頂部付近に隆起部を有し該隆起部内の空気を後方へ排出する排出孔を有する硬質ヘルメットと、該硬質ヘルメット内側に衝撃緩衝用空間部を構成するように設けられ通気孔を有する緩衝シートと、前記帽子と前記硬質ヘルメットを着脱可能に固定する固定手段とよりなる。
【考案の効果】
【０００５】  本考案を使用することで、帽子本来の装着感を損なうことなく頭部を保護することができる。
前方からの空気抵抗を減少させるため、ローラースケートやスケートボードなどのスピードを必要とする競技において支障をきたすことなくプレイでき、転倒時における衝撃を吸収することができる。この衝撃吸収に関しては、硬質ヘルメット本体が第一衝撃吸収、緩衝シートが第二衝撃吸収、空間部が第三衝撃吸収の役割を果たし、前記空間部の圧縮空気を硬質ヘルメットの通気孔により排出することで効率的に衝撃を吸収することができる。
着脱可能な固定手段を有することで、汗を吸収した帽子を洗濯することが可能となる。また、用途や趣向にあわせて帽子とヘルメットを組み合わせることが可能となる。あわせて、帽子単体として使用することも可能である。
通気孔を有する緩衝シートとヘルメットの空間部により、頭部における通気性を確保することができる。
【考案を実施するための最良の形態】
【０００６】  以下、本考案実施の形態について図１から図１６を用いて説明する。
図１は本考案の分解図、図２は本考案の要部平面図、図３は本考案の要部正面図、図４は本考案の要部背面図、図５は本考案の要部底面図、図６は本考案の要部右側面図、図７は本考案の要部分解図、図８は本考案の硬質ヘルメット正面図、図９は本考案の硬質ヘルメット背面図、図１０は本考案の硬質ヘルメット底面図、図１１は本考案の緩衝シート平面図、図１２は本考案の緩衝シート底面図、図１３は本考案の正面図、図１４は本考案の右側面図、図１５は本考案の背面図、図１６は本考案の説明図である。
本考案は、硬質ヘルメット１と、緩衝シート３と帽子本体２とより構成される。
硬質ヘルメット１は、ＦＲＰ等のようにヘルメットとして通常利用される素材よりなるものである。頭部形状にあわせた覆い部を有する帽子本体２に近似した流線形状で、頭部付近中央とその両側部に背面方向に壁部を有する隆起部６ａ６ｂが形成されている。壁部には通気孔４ａ４ｂがそれぞれ設けられている。本事例においては中央の隆起部６ａには３つの通気孔４ａが、両側部の隆起部６ｂにはそれぞれ１つの通気孔４ｂが設けられている。
硬質ヘルメット１の前部には上下二段にベルト穴５ａ、後部には上下三段にベルト穴５ｂ、左右側部には上下二段にベルト穴５ｃが設けられている。
硬質ヘルメット１の裏面前部には左右にそれぞれ勘合突起１４ａ、後部には左右にそれぞれ勘合突起１４ｂ、左右側面にはそれぞれ勘合突起１４ｃが設けられている。
緩衝シート３はゴムなどのクッション材として通常用いられる素材よりなるものであり、基本形状は前記硬質ヘルメット１と帽子本体２の間にはフィットした湾曲形状で、前記硬質ヘルメット１のベルト穴５ａ５ｂ５ｃにかからない形状となっている。
図１１、図１２に示すように緩衝シート３の中央で、装着時中央隆起部６ａの下にあたる位置には略方形状の開口部が設けられている。その左右側部にはそれぞれ補助開口部９が設けられている。
また、緩衝シート３には前記硬質ヘルメット１の各勘合突起１４ａ１４ｂ１４ｃに対応して勘合固定するための勘合孔７ａ７ｂ７ｃが設けられている。
緩衝シート３の上面には表面突起１１ａ１１ｂ１１ｃが複数設けられている。硬質ヘルメット１の内部形状にあわせるとともに図１６に示すように緩衝シートのベースシートとの間に空間部を形成するように前部左右に表面突起１１ａ、後部左右に表面突起１１ｂ、後部より左右にそれぞれ表面突起１１ｃが設けられている。表面突起１１ａは縦方向に設けられた突起１１ａａと、これを連結するように横方向に設けられた突起１１ａｂから構成される。表面突起１１ｂも同様に突起１１ｂａと突起１１ｂｂから構成されている。また、上部左右後部突起１１ｃが設けられている。
緩衝シート３の裏面には図５、図１２に示すように頭部形状に沿って湾曲するとともに帽子本体２との間に隙間を構成するように裏面突起１０が縦方向に複数設けられている。
帽子本体２は綿やナイロン等の柔軟な素材な覆い部とツバからなるものである。帽子本体２の表面には、前記硬質ヘルメット１の各ベルト穴５ａ５ｂ５ｃに対応するようにベルト１２ａ１２ｂ１２ｃがそれぞれ設けられている。各ベルト１２ａ１２ｂ１２ｃは一端が帽子本体２に固定され、多端が開放されたものである。ベルト１２ａ１２ｂ１２ｃの固定部及び開放部には、折り返した状態で着脱可能に固定するための固定手段として面ファスナー１３ａ１３ｂが設けられている。固定手段としては、面ファスナーに限定されるものではなく、スナップ等通常用いられるものであればよい。
本考案は以上の構成よりなる。【０００７】  これを使用するときは、緩衝シート３の勘合孔７ａ７ｂ７ｃと硬質ヘルメット１の突起１４ａ１４ｂ１４ｃを勘合することで硬質ヘルメット１の内側に緩衝シート３を固定する。そのうえで硬質ヘルメット１のベルト孔５ａ５ｂ５ｃに帽子本体２のベルト１２ａ１２ｂ１２ｃを通して面ファスナー１３ａ１３ｂで固定する。
装着状態において、図１６に示すように緩衝シート３の表面突起１１ａ１１ｂ１１ｃが硬質ヘルメット１との間に隙間を生じさせることで、衝撃に対して強い衝撃吸収効果を得ることができる。あわせて硬質ヘルメット１の隆起部６ａ６ｂが特に衝撃に弱い頭頂部への衝撃を緩和する効果を得る。
また、図１６には図示されていないが頭部形状にあわせて湾曲した形状で隙間を構成するように設けられた裏面突起１０により、頭部との間での通気性を向上させるとともに衝撃吸収の効果を得ることができる。
あわせて、緩衝シートの開口部８と補助開口部９により頭部の通気性を向上することができる。
衝撃吸収に関しては、硬質ヘルメット１と緩衝シート３間に構成された空間部で衝撃により発生した圧縮を硬質ヘルメット１の通気孔４ａ４ｂで外部に排出することでより効率を高めることが可能となった。
また、前方からの空気抵抗を後方へ流すとともに頭頂部付近に隆起部を有し該隆起部内の空気を後方へ排出する排出孔を有する構造とすることで、運動時の空気抵抗を阻害することなく快適に運動することが可能となった。
【図面の簡単な説明】
【０００８】
【図１】  本考案の分解図
【図２】  本考案の要部平面図
【図３】  本考案の要部正面図
【図４】  本考案の要部背面図
【図５】  本考案の要部底面図
【図６】  本考案の要部右側面図
【図７】  本考案の要部分解図
【図８】  本考案の硬質ヘルメット正面図
【図９】  本考案の硬質ヘルメット背面図
【図１０】  本考案の硬質ヘルメット底面図
【図１１】  本考案の緩衝シート平面図
【図１２】  本考案の緩衝シート底面図
【図１３】  本考案の正面図
【図１４】  本考案の右側面図
【図１５】  本考案の背面図
【図１６】  本考案の説明図
【符号の説明】
【０００９】  １  硬質ヘルメット、
２  帽子本体、
３  緩衝シート、
４ａ；４ｂ  通気孔、
５ａ；５ｂ；５ｃ  ベルト穴、
６ａ；６ｂ  隆起部、
７ａ；７ｂ；７ｃ  勘合孔、
８  開口部、
９  補助開口部、
１０  裏面突起、
１１ａ；１１ｂ；１１ｃ  表面突起、
１１ａａ；１１ｂａ  表面突起の縦方向部
１１ａｂ；１１ｂｂ  表面突起の横方向部
１２ａ；１２ｂ；１２ｃ  ベルト、
１３ａ；１３ｂ  面ファスナー、
１４ａ；１４ｂ；１４ｃ  突起
【図１】
0003131987.tif 000003
【図２】
0003131987.tif 000004
【図３】
0003131987.tif 000005
【図４】
0003131987.tif 000006
【図５】
0003131987.tif 000007
【図６】
0003131987.tif 000008
【図７】
0003131987.tif 000009
【図８】
0003131987.tif 000010
【図９】
0003131987.tif 000011
【図１０】
0003131987.tif 000012
【図１１】
0003131987.tif 000013
【図１２】
0003131987.tif 000014
【図１３】
0003131987.tif 000015
【図１４】
0003131987.tif 000016
【図１５】
0003131987.tif 000017
【図１６】
0003131987.tif 000018